【事件の表示】
　平成１１年特許願第２１６０５９号「ディジタル・カメラおよびその動作制御方法」拒絶査定不服審判事件〔平成１３年　２月１６日出願公開、特開２００１−　４５３６４〕について、次のとおり審決する。
【結　論】
　本件審判の請求は、成り立たない。
【理　由】
第１　経緯
　本願は、平成１１年７月３０日の出願であって、平成１８年７月２６日付けで拒絶理由が通知され、これに対し、平成１８年９月２９日付けで意見書が提出されると同時に手続補正がなされたが、平成１９年２月２３日付け（発送日同年３月６日）で拒絶査定がなされたものである。
　本件は、本願についてなされた上記拒絶査定を不服として平成１９年４月５日付けで請求された拒絶査定不服審判である。
　　
第２　本願発明
　本願の請求項１から４に係る発明は、平成１８年９月２９日付け手続補正により補正された明細書及び図面の記載からみて、その特許請求の範囲の請求項１から４に記載した事項により特定されるとおりのものであるところ、請求項１に係る発明（以下「本願発明」という。）は次のとおりである。
　
「固体電子撮像素子によって一定周期で被写体を撮像し、撮像によって得られる被写体像を表わす映像信号を少なくとも垂直方向において所与の間引き率で間引いて出力するように上記固体電子撮像素子を駆動する手段を備えた撮像手段、
　電子ズーム指令およびズーム倍率を与える電子ズーム指令手段、
　上記電子ズーム指令手段から与えられるズーム倍率に応じて上記撮像手段から出力される映像信号によって表される画像が拡大されるように、上記撮像手段から出力される映像信号について電子ズーム処理をするズーム手段、
　上記ズーム手段から出力される映像信号によって表される画像を表示装置に表示するように制御する表示制御手段、ならびに
　上記電子ズーム指令手段から与えられるズーム倍率が大きくなることに応じて、上記駆動手段による間引きの割合を小さくするように制御する駆動制御手段、
　を備えたディジタル・カメラ。」
　
第３　引用発明
　１　引用文献２の記載
　　原査定の拒絶の理由に引用された引用文献２（特開平４−３７３２７０号公報）には、「撮像装置」（発明の名称）に関し、図面と共に次に揚げる事項が記載されている。
　〈産業上の利用分野〉
（ア）「本発明は、ズーム機能等を電気的な信号処理により行うようにした撮像装置に関する。」（段落【０００１】）
　　
　〈発明が解決しようとする課題〉
（イ）「従って、ズーム機能を機械的な機構として設けていたため、レンズの構成枚数が多くなり、また、電動とした場合にはモータ等のレンズの駆動部が必要となり構造も大きくなり、重さも重くなり、駆動部の電源も必要となるため消費電力も大きくなるといった問題点があった。本発明は、ズーム機能等を電気的な信号処理により行うようにすることにより問題点を解決することを目的とする。」（段落【０００３】）
　　
　〈作用〉
（ウ）「ズーム機能を電気的な信号処理によって行うことができ、ズームレンズや、駆動装置の機構系が削除できるため、小型軽量化が可能となる。」（段落【０００５】）
　
　〈実施例〉
（エ）「図１は、本発明の一実施例を示す撮像装置の電気回路ブロック図であり、２は固体撮像素子（ＣＣＤ）であり、撮像レンズ１等の光学系を通じて被写体からの画像を受光し、電気的な画像信号に変換して出力し、プロセス回路９に入力している。プロセス回路９では固体撮像素子２で光電変換された画像信号から輝度信号と色信号を取り出して信号処理を行った後、テレビ信号変換部１０に入力する。テレビ信号変換部１０では、前記色信号（色差信号）で９０°、０°成分のサブキャリアを変調して合成し、さらにカラーバースト信号と合成しクロマ信号を作成する。前記輝度信号はゲインコントロール等の処理を行った後、前記クロマ信号と合成し、水平同期及び垂直同期信号を付加して標準方式のテレビ信号に整えて、映像信号として出力し、同映像信号をテレビ等に入力して画像を再生するようにしている。」（段落【０００６】）
「ズーム撮像の場合の信号処理は、次に説明する通りである。前記プロセス回路９から出力される輝度信号と色信号（色差信号）に変換された映像信号に対して各々信号処理を行うようにするか、あるいは、プロセス回路９で輝度信号と色信号（色差信号）をマトリックス回路を使用してＲＧＢの原色信号に変換して出力するようにして、以下の手順でＲＧＢの原色信号の各々に対して信号処理するようにしても良い。プロセス回路９から輝度信号と色信号（色差信号）に変換された映像信号を出力するとして、同映像信号をＡ／Ｄ変換器４でディジタル信号に変換して出力し、同出力を書き込み用のクロックパルスを使用し、１フレーム分の映像信号をメインフレームメモリ５に書き込んで記憶させる。」（段落【０００７】）
「図２は、本発明のズームによる画面の切り取りの説明図であり、外枠は固体撮像素子２の有効スクリーンサイズで、有効に被写体を映すことができる範囲を示している。例えば、同有効スクリーンサイズ内に映されている被写体中、内枠の切り取りサイズの部分を拡大する場合、切り取り範囲の指定信号を有効領域選択回路６に入力し、同有効領域選択回路６で切り取り範囲の指定信号に応じて、読み出し用のクロックパルスの垂直方向及び水平方向の読み出し開始、読み出し終了のタイミングを調整することにより、図２の有効スクリーンサイズ中から任意の大きさで切り取り範囲を指定して、切り取り範囲内の映像信号を読み出して解像度調整回路７に入力する。ズーミング処理を行うと、ズーミング率により画像の解像度が変化した場合、画面が見にくくなるため、画素密度の高い固体撮像素子２を使用して、通常の撮影の場合は前記プロセス回路９あるいは、テレビ信号変換部１０で映像信号を間引き等を行って、標準方式のテレビ信号の走査線数に合うようにしており、ズーミング処理をする場合は前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させる。」（段落【０００８】）
「固体撮像素子２に使用する画素密度は、ズーム率を最大とした場合、前記解像度調整回路７で行う画素密度の間引き率を０とし、その他のズーム率の場合はズーム率に応じて間引くことにより解像度が変化しないようにしている。サブフレームメモリ８から読み出し用のクロックパルスの速さを調整して、切り取った範囲の大きさが、固体撮像素子２の有効スクリーンサイズとなるように拡大して読み出して、前記テレビ信号変換部１０に入力するようにしている。従って、有効領域選択回路６での切り取り範囲を徐々に小さくして行くことにより、徐々に特定の画面の部分を拡大したり、また、前記切り取り範囲を徐々に大きくして行くことにより、拡大した部分を徐々に縮小したりする効果を、信号処理で行うことができる。」（段落【０００９】）
「テレビ信号変換部１０では、色信号（色差信号）は９０°、０°成分のサブキャリアを変調した後、両者を合成し、さらにカラーバースト信号と合成しクロマ信号を作成し、輝度信号はゲインコントロール等の処理を行った後、前記クロマ信号と合成し、水平同期及び垂直同期信号を付加して標準方式のテレビ信号に整えて、映像信号として出力し、同映像信号をテレビ等に入力して画像を再生するようにしている。ズーム時の信号処理をＲＧＢの原色信号で処理するようにした場合、テレビ信号変換部１０でＲＧＢの原色信号をマトリックス回路を使用して輝度信号と色信号（色差信号）に変換して、その後、前記と同様な信号処理を行うようにすれば良い。」（段落【００１０】）
　　
　〈発明の効果〉
（オ）「以上説明したように、本発明によれば、ズーム機能を電気的な信号処理によって行うことができ、ズームレンズや、駆動装置の機構系が削除できるため、小型軽量化が可能となり、また、撮像装置を動かさずに電気的な信号処理により、徐々に特定の画面の部分を拡大したり、あるいは、拡大した部分を徐々に縮小したりすることが可能な、便利な撮像装置を提供することができる。」（段落【００１１】）
　　
　２　引用文献２に記載された発明
　　引用文献２の実施例に示された撮像装置を発明として認定する。
　実施例に示された撮像装置の固体撮像素子２（ＣＣＤ）は、「撮像レンズ１等の光学系を通じて被写体からの画像を受光し、電気的な画像信号に変換して出力し、プロセス回路９に入力している」（段落【０００６】）。
　「プロセス回路９では固体撮像素子２で光電変換された画像信号から輝度信号と色信号を取り出して信号処理を行った後、テレビ信号変換部１０に入力する。テレビ信号変換部１０では、・・・水平同期及び垂直同期信号を付加して標準方式のテレビ信号に整えて、映像信号として出力し、同映像信号をテレビ等に入力して画像を再生するようにしている」（段落【０００６】）。
「ズーム撮像の場合の信号処理は、次に説明する通りである。
　（中略）
　プロセス回路９から輝度信号と色信号（色差信号）に変換された映像信号を出力するとして、同映像信号をＡ／Ｄ変換器４でディジタル信号に変換して出力し、同出力を書き込み用のクロックパルスを使用し、１フレーム分の映像信号をメインフレームメモリ５に書き込んで記憶させる」（段落【０００７】）。
「・・・（固体撮像素子２の）有効スクリーンサイズ内に映されている被写体中、内枠の切り取りサイズの部分を拡大する場合、切り取り範囲の指定信号を有効領域選択回路６に入力し、同有効領域選択回路６で切り取り範囲の指定信号に応じて、読み出し用のクロックパルスの垂直方向及び水平方向の読み出し開始、読み出し終了のタイミングを調整することにより、・・・有効スクリーンサイズ中から任意の大きさで切り取り範囲を指定して、切り取り範囲内の映像信号を読み出して解像度調整回路７に入力する。ズーミング処理を行うと、ズーミング率により画像の解像度が変化した場合、画面が見にくくなるため、画素密度の高い固体撮像素子２を使用して、通常の撮影の場合は前記プロセス回路９あるいは、テレビ信号変換部１０で映像信号を間引き等を行って、標準方式のテレビ信号の走査線数に合うようにしており、ズーミング処理をする場合は前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させる」（段落【０００８】）。
「固体撮像素子２に使用する画素密度は、ズーム率を最大とした場合、前記解像度調整回路７で行う画素密度の間引き率を０とし、その他のズーム率の場合はズーム率に応じて間引くことにより解像度が変化しないようにしている。サブフレームメモリ８から読み出し用のクロックパルスの速さを調整して、切り取った範囲の大きさが、固体撮像素子２の有効スクリーンサイズとなるように拡大して読み出して、前記テレビ信号変換部１０に入力するようにしている。・・・」（段落【０００９】）。
　　
　以上より、引用文献２には、次の発明（以下「引用発明」という。）が記載されていると認められる。
　　
「固体撮像素子２は、被写体からの画像を受光し、電気的な画像信号に変換して出力し、プロセス回路９に入力し、
　プロセス回路９では固体撮像素子２で光電変換された画像信号から輝度信号と色信号を取り出して信号処理を行った後、テレビ信号変換部１０に入力し、
　テレビ信号変換部１０では、水平同期及び垂直同期信号を付加して標準方式のテレビ信号に整えて、映像信号として出力し、同映像信号をテレビ等に入力して画像を再生し、
　ズーム撮像の場合の信号処理は、
　プロセス回路９から輝度信号と色信号（色差信号）に変換された映像信号をＡ／Ｄ変換器４でディジタル信号に変換して出力し、同出力を書き込み用のクロックパルスを使用し、１フレーム分の映像信号をメインフレームメモリ５に書き込んで記憶させ、
　固体撮像素子２の有効スクリーンサイズ内に映されている被写体中、内枠の切り取りサイズの部分を拡大する場合、切り取り範囲の指定信号を有効領域選択回路６に入力し、
　同有効領域選択回路６で切り取り範囲の指定信号に応じて、有効スクリーンサイズ中から任意の大きさで切り取り範囲を指定して、切り取り範囲内の映像信号を読み出して解像度調整回路７に入力し、
　前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させ、
　サブフレームメモリ８から読み出し用のクロックパルスの速さを調整して、切り取った範囲の大きさが、固体撮像素子２の有効スクリーンサイズとなるように拡大して読み出して、前記テレビ信号変換部１０に入力するようにする
　撮像装置。」
　　
第４　対比
　本願発明と引用発明とを対比する。
（１）撮像手段
　引用発明の固体撮像素子２の出力は、テレビ信号変換部１０でテレビ信号に整えて、映像信号として出力されるものであるから、撮像は一定の周期で行われていると認められる。また、固体撮像素子は、駆動しなければ出力が得られないものであるから、引用発明は固体撮像素子を駆動する手段を備えているものと認められる。
　したがって、引用発明の固体撮像素子２は、「固体電子撮像素子によって一定周期で被写体を撮像し、撮像によって得られる被写体像を表わす映像信号を出力するように上記固体電子撮像素子を駆動する手段を備えた撮像手段」といえる。
　もっとも、引用発明の固体撮像素子２は、少なくとも垂直方向において所与の間引き率で間引いて駆動していない点で本願発明と相違する。
　　
（２）電子ズーム指令手段
　引用発明はズーム撮像を行えるものであり、拡大する場合、切り取り範囲の指定信号を入力するものであるから、「電子ズーム『を指示する』手段」を備えているといえる。
　本願発明の「電子ズーム指令手段」は、電子ズーム指令及びズーム倍率を与えるものであるから、「電子ズーム『を指示する』手段」といえる。
　もっとも、引用発明における「電子ズーム『を指示する』手段」は、電子ズーム指令及びズーム倍率を与える「電子ズーム指令手段」でない点で本願発明と相違する。
　　
（３）ズーム手段
　引用発明は、
「ズーム撮像の場合の信号処理は、
　プロセス回路９から輝度信号と色信号（色差信号）に変換された映像信号をＡ／Ｄ変換器４でディジタル信号に変換して出力し、同出力を書き込み用のクロックパルスを使用し、１フレーム分の映像信号をメインフレームメモリ５に書き込んで記憶させ、
　固体撮像素子２の有効スクリーンサイズ内に映されている被写体中、内枠の切り取りサイズの部分を拡大する場合、切り取り範囲の指定信号を有効領域選択回路６に入力し、
　同有効領域選択回路６で切り取り範囲の指定信号に応じて、有効スクリーンサイズ中から任意の大きさで切り取り範囲を指定して、切り取り範囲内の映像信号を読み出して解像度調整回路７に入力し、
　前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させ、
　サブフレームメモリ８から読み出し用のクロックパルスの速さを調整して、切り取った範囲の大きさが、固体撮像素子２の有効スクリーンサイズとなるように拡大して読み出して、前記テレビ信号変換部１０に入力するようにし」ているので、「上記電子ズーム『を指示する』手段から与えられる『もの』に応じて上記撮像手段から出力される映像信号によって表される画像が拡大されるように、上記撮像手段から出力される映像信号について電子ズーム処理をするズーム手段」を備えているといえる。
　もっとも、引用発明の「上記電子ズーム『を指示する』手段から与えられる『もの』」が「切り取り範囲の指定信号」であるのに対し、本願発明においては「ズーム倍率」である点で相違する。
　　
（４）表示制御手段
　引用発明は、「サブフレームメモリ８から読み出し用のクロックパルスの速さを調整して、切り取った範囲の大きさが、固体撮像素子２の有効スクリーンサイズとなるように拡大して読み出して、前記テレビ信号変換部１０に入力するようするもの」で、「テレビ信号変換部１０では、水平同期及び垂直同期信号を付加して標準方式のテレビ信号に整えて、映像信号として出力し、同映像信号をテレビ等に入力して画像を再生するようにする」ので、「上記ズーム手段から出力される映像信号によって表される画像を表示装置に表示するように制御する表示制御手段」を備えているといえる。
　　
（５）駆動制御手段
　引用発明は、「上記電子ズーム指令手段から与えられるズーム倍率が大きくなることに応じて、上記駆動手段による間引きの割合を小さくするように制御する駆動制御手段」を備えていない点で、本願発明を相違する。
　　
（６）ディジタル・カメラ
　引用発明は、「撮像装置」であり、「カメラ」といえるものの、「ディジタル・カメラ」ではない点で、本願発明と相違する。
　　
　以上より、本願発明と引用発明との一致点、相違点は次のとおりである。
　　
（一致点）
　固体電子撮像素子によって一定周期で被写体を撮像し、撮像によって得られる被写体像を表わす映像信号を出力するように上記固体電子撮像素子を駆動する手段を備えた撮像手段、
　電子ズームを指示する手段、
　上記電子ズームを指示する手段から与えられるものに応じて上記撮像手段から出力される映像信号によって表される画像が拡大されるように、上記撮像手段から出力される映像信号について電子ズーム処理をするズーム手段、
　上記ズーム手段から出力される映像信号によって表される画像を表示装置に表示するように制御する表示制御手段
　を備えたカメラ。
　　
（相違点１）
「固体撮像素子を駆動する手段」が、本願発明においては「少なくとも垂直方向において所与の間引き率で間引いて出力」するのに対し、引用発明においては「間引いて出力」していない点。
　　
（相違点２）
「電子ズームを指示する手段」が、本願発明においては「電子ズーム指令及びズーム倍率」を与える「電子ズーム指令手段」であるのに対し、引用発明においては「電子ズーム指令及びズーム倍率」を与えておらず、それに伴い、「ズーム手段」が本願発明においては「電子ズーム指令手段から与えられるズーム倍率に応じて」電子ズーム処理をするのに対し、引用発明においては「電子ズーム指令手段から与えられるズーム倍率に応じて」電子ズーム処理をしない点。
　　
（相違点３）
　本願発明が「上記電子ズーム指令手段から与えられるズーム倍率が大きくなることに応じて、上記駆動手段による間引きの割合を小さくするように制御する駆動制御手段」を備えているのに対し、引用発明が該駆動制御手段を備えていない点。
　　
（相違点４）
　本願発明が「ディジタル・カメラ」であるのに対し、引用発明は「カメラ」ではあるが、「ディジタル・カメラ」ではない点。
　　
第５　相違点の判断等
　１　相違点１について
（１）周知技術
　ア　固体撮像素子を間引き駆動することは、周知技術である。このことは、例えば、引用文献４（特開平５−１２２５７４号公報）、拒絶査定時に周知の技術の１つとして例示された特開平９−２４７５４３号公報に示されている。具体的記載は下記イ、ウのとおりである。
　特に、上記引用文献４には、
「上記ＣＭＤ１は、垂直ライン指定回路２２によりアドレス指定に基づき垂直選択線２０ａ乃至２０ｄのいずれかを選択し、次に水平のアドレス指定に基づき水平ライン指定回路２３により垂直線２１ａ乃至２１ｄを選択して、指定した画素データを出力バッファ１９にて電流−電圧変換して出力する。
　このように、アドレスの指定はＣＭＤドライバ１４により行われる。
　図５は低解像度モニタに適した画素数で出力するための画素の選択についてモザイクフィルタを例に説明するための図である。
　同図は縦横１／４に間引く例を示しており、太枠５０で囲まれた範囲を１画素として、図中、丸印で囲った部分の画素を代表値として出力する。このように画素を間引いて丸印で囲った部分の画素を順次読み出すことによって低解像度モニタに適した画素数で出力することができる。また、選択する画素はカラー化をするために図中、丸印で囲った部分で示すように各色から選択するように動作する。
　図７は画素のリセット動作において、縦横ともに１／３に間引く具体例を示したものである。」（段落【００１２】〜【００１３】）と記載されおり、
上記特開平９−２４７５４３号公報には、
「・・・モニタリングモードでは、マイクロコンピュータ１０５は、タイミングコントローラ１０７のＣＣＤ駆動回路１０９を制御し、撮像素子１０１をライン間引きモードで動作させる。撮像素子１０１からは、読出しがされないラインが生じ、１／６０秒周期で撮像信号が読出される。」（段落【００３０】）と記載されている。
　　
　イ　引用文献４の記載
　　拒絶の理由に引用された引用文献４（特開平５−１２２５７４号公報）には、次の記載がある。
　　
　〈産業上の利用分野〉
「本発明は高解像度で所望の画像を取り込む画像取込装置に関する。」（段落【０００１】）
　　
　〈発明が解決しようとする課題〉
「しかし、上記２００万画素の撮像素子を使用すると取り込み範囲を確認するだけの用途に使用する場合でも、高価なＨＤＴＶモニタが必要になるといった不具合が生じる。
　そして、２００万画素を越える撮像素子においては、適当な表示系がほとんどなく、限定されてしまう。」（段落【０００４】）
「このような欠点を解決するために、ＩＣメモリを介してデータを間引いて低解像度の表示系に出力することも可能であるが、撮像素子すべての画素情報をメモリに記憶するには時間がかかり、当然、モニタに表示するまでに多くの時間がかかってしまう。」（段落【０００５】）
「本発明は上記問題に鑑みてなされたもので、その目的とするところは、２００万画素以上の２次元撮像素子を使用する画像取込装置において、範囲を確認するために低解像度の表示系に実時間で出力することができる画像取込装置を提供することにある。」（段落【０００６】）
　　
　〈実施例〉
「以下、図１乃至図８を参照して本発明の画像取込装置の実施例について説明する。
　図１は本発明の第１の実施例に係る画像取込装置の構成を示す図である。」（段落【０００９】）
「同図に示すように、本発明の画像取込装置は、電荷変調素子（以下、ＣＭＤと略す）１と、アナログ処理回路２，６、アナログ／デジタル変換器（以下、Ａ／Ｄ変換器と略す）３、デジタル処理回路４，１０、デジタル／アナログ変換器（以下、Ｄ／Ａ変換器と略す）５、増幅器（以下、ＡＭＰと略す）７、モニタ８、インターフェイス１１、プリンタ１２、システムコントローラ１３、ＣＭＤドライバ１４により構成されている。」（段落【００１０】）
「ここで、通常のＣＭＤは図３に示すように、垂直シフトレジスタ１７及び水平シフトレジスタ１８で選択された受光部から電荷が出力バッファ１９を介して電流電圧変換されて素子外に読み出される構造になっているが、このような構成では、受光部の選択にシフトレジスタを使用しているために順次走査しかできず、ランダムアクセスができないので、本実施例では図４に示すような構成のＣＭＤ１を使用する。」（段落【００１１】）
「そして、上記ＣＭＤ１は、垂直ライン指定回路２２によりアドレス指定に基づき垂直選択線２０ａ乃至２０ｄのいずれかを選択し、次に水平のアドレス指定に基づき水平ライン指定回路２３により垂直線２１ａ乃至２１ｄを選択して、指定した画素データを出力バッファ１９にて電流−電圧変換して出力する。
　このように、アドレスの指定はＣＭＤドライバ１４により行われる。
　図５は低解像度モニタに適した画素数で出力するための画素の選択についてモザイクフィルタを例に説明するための図である。」（段落【００１２】）
「同図は縦横１／４に間引く例を示しており、太枠５０で囲まれた範囲を１画素として、図中、丸印で囲った部分の画素を代表値として出力する。このように画素を間引いて丸印で囲った部分の画素を順次読み出すことによって低解像度モニタに適した画素数で出力することができる。また、選択する画素はカラー化をするために図中、丸印で囲った部分で示すように各色から選択するように動作する。
　図７は画素のリセット動作において、縦横ともに１／３に間引く具体例を示したものである。」（段落【００１３】）
「同図において、読み出す画素を丸印で囲った部分で、間引く画素をバツで示している。第１ラインの丸印で囲った部分を読み出した後に読み出さないラインを含めて第１ラインから第３ラインまで同時にリセットを行う。」（段落【００１４】）
「あとは順に第４ラインの丸印で囲った部分の画素をを読み出した後に第４ラインから第６ラインまで同時にリセットを行う。そして、読み出さない画素をリセットするのは画素に過剰電荷を蓄積しないためであり、過剰電荷によるスミアの影響を軽減している。このような構成の画像取込装置において、上記した動作によりＣＭＤ１をＣＭＤドライバ１４にて駆動し、撮像した画像をアナログ処理回路２にてＬＰＦクランプ等の処理を行い、Ａ／Ｄ変換器３によりデジタル信号に変換する。」（段落【００１５】）
「このデジタル信号は一方はデジタル信号処理回路４に入力し、他方はメモリ９に入力し、他方はデジタル信号処理回路４に入力する。デジタル信号処理回路４はモニタ８に適した出力系に変換している。」（段落【００１６】）
「例えば、モニタ８がＮＴＳＣ（National Television System Committee）信号であれば、デジタルＮＴＳＣエンコーダの動作を行う。その後、Ｄ／Ａ変換器５にてアナログ信号に変換する。その後、ＬＰＦ等の処理をアナログ信号処理回路６にて行い、ＡＭＰ７を介してモニタ８に出力する。」（段落【００１７】）
「上記ＣＭＤ１におけるモニタ８への信号の読み出しが終了すると、全画素を読み出すための露光を開始する。そして、露光した後に画像信号を読み出して、アナログ信号処理回路を介してＡ／Ｄ変換器３に信号を送る。」（段落【００１８】）
「このＡ／Ｄ変換器３からの信号はメモリ９に記録する。そして記録した後に、出力系に合わせたデータレートにて読み出され、デジタル信号処理回路１０にて輪郭強調等の処理を行い、インターフェイス１１を介してプリンタ１２に出力する。この出力はプリンタに限らず、マスストレージ等の記録装置で良く、その場合も回路構成は同じである。
　尚、上記装置においてモニタ８への出力とメモリ９への記録はデータの量と撮像素子からの読み出し時間が異なるために同時に行うことはできない。」（段落【００１９】）
「そして、データの出力系の切り替えはシステムコントローラ１３により行い、コントロールライン１３ａにてモニタ８への出力を制御し、コントロールライン１３ｂにてメモリ９への制御を行う。」（段落【００２０】）
　　
　ウ　特開平９−２４７５４３号公報の記載
　　拒絶査定時に、周知の技術の１つとして例示された特開平９−２４７５４３号公報には、次の記載がある。
　　
　〈発明の属する技術分野〉
「この発明は、例えばディジタル記録の電子スチルカメラに使用して好適なディジタル電子撮像装置に関する。」（段落【０００１】）
  　　
　〈従来の技術〉
「・・・従来のビデオカメラ等に使用されるＣＣＤ撮像素子は、インターレース方式の出力信号を発生するために、・・・１／６０秒（１フィールド）蓄積して、２画素を読出し、垂直転送用のＣＣＤにおいて読出した２画素を混合し、また、混合する画素の上下方向の位置を奇数フィールドおよび偶数フィールドでずらすことによって、インターレース走査を実現していた。」（段落【０００２】）
「かかるＣＣＤ撮像素子は、１／６０秒の蓄積時間のために、１／３０秒の蓄積時間のフレーム蓄積方式と比較して、動画像の撮像を良好に行うことができるが、垂直解像度が低い不利がある。従って、電子スチルカメラの撮像素子として適していない。そこで、・・・１／３０秒間蓄積し、全画素を読出す全画素読出し方式が提案されている。この方式によれば、垂直解像度の低下を防止することができるが、撮像素子から撮像信号を出力するためには、画素数が同じ場合に、上述したビデオカメラ用の撮像素子の２倍の時間を必要とする。より具体的には、１／３０秒周期の撮像信号が発生する。」（段落【０００３】）
  　　
　〈発明が解決しようとする課題〉
「ディジタル電子スチルカメラの場合、・・・撮像画像を表示するモニタ例えば液晶モニタを設けることが多い。液晶モニタは、１／６０秒のノンインターレース走査で、テレビジョン画像を表示するのが普通である。従って、・・・１／３０秒周期の撮像信号をそのまま液晶モニタに供給すると、表示画像の歪が発生する問題がある。これを避けるためには、・・・液晶モニタ６２に対してＶＲＡＭ（ビデオＲＡＭ）６１（あるいはフレームメモリ）によりフレームレートを変換する必要がある。ＶＲＡＭ６１に対しては、１／３０秒周期の撮像信号が供給され、その出力に１／６０秒周期のノンインターレース信号が発生する。」（段落【０００４】）
「このように、全画素読出しの撮像素子は、垂直解像度が高いという点で、電子スチルカメラの撮像素子として好適な反面、通常のテレビジョンモニタに撮像画像を表示するのにＶＲＡＭあるいはフレームメモリが必要となり、コストが上昇する問題があった。さらに、電子スチルカメラが自動焦点制御装置、自動アイリス制御装置、自動ホワイトバランス制御装置等の自動制御装置を備えているので、撮像素子の出力信号の周期が長いことは、これらの自動制御の応答を遅くする問題が生じた。さらに、モニタに表示される画像の動きが滑らかでない問題もあった。」（段落【０００５】）
「従って、この発明の目的は、垂直解像度が高いという利点を損なうことなく、高速に撮像信号を出力することができ、それによってＶＲＡＭを不要としたデジタル電子撮像装置を提供することにある。」（段落【０００７】）
  　　
　〈発明の実施の形態〉
「・・・ＣＣＤ撮像素子１０１は、・・・全画素を読出すフルフレーム読出しの動作モード（第１の撮像モード）と、ライン数を減少させた信号を出力するライン間引きの動作モード（第２の撮像モード）とが切替え可能とされている。・・・」（段落【００１１】）
「撮像素子１０１の出力信号がサンプルホールド，ＡＧＣ回路１０２に供給される。フルフレーム読出しモードでは、１枚の画像読出しの時間が１／３０秒であり、ライン間引きモードでは、これが１／６０秒である。・・・」（段落【００１２】）
「・・・モニタリングモードでは、マイクロコンピュータ１０５は、タイミングコントローラ１０７のＣＣＤ駆動回路１０９を制御し、撮像素子１０１をライン間引きモードで動作させる。撮像素子１０１からは、読出しがされないラインが生じ、１／６０秒周期で撮像信号が読出される。」（段落【００３０】）
「・・・撮像素子１０１がライン間引きモードで動作するので、液晶ディスプレイ１３５が１／６０秒周期のノンインターレスの表示を行うことができる。液晶ディスプレイ１３５の表示を見て、画角の調整等を行い、記録したいスチル画像を決定することができる。ライン間引きモードのために、垂直解像度が劣化するが、撮影画像をモニタする目的にとっては問題とならない。ライン間引きモードでは、高速読出しのために動きに対する追従性が良くなる。従って、自動焦点調整、自動絞り調整等の自動制御の応答が良くなり、動画をモニタするのが容易となる。」（段落【００３１】）
　　
（２）判断
　　固体撮像素子を間引き駆動することは、上記のとおり周知技術である。
　　引用発明は、
「プロセス回路９から輝度信号と色信号（色差信号）に変換された映像信号をＡ／Ｄ変換器４でディジタル信号に変換して出力し、同出力を書き込み用のクロックパルスを使用し、１フレーム分の映像信号をメインフレームメモリ５に書き込んで記憶させ、
　固体撮像素子２の有効スクリーンサイズ内に映されている被写体中、内枠の切り取りサイズの部分を拡大する場合、切り取り範囲の指定信号を有効領域選択回路６に入力し、
　同有効領域選択回路６で切り取り範囲の指定信号に応じて、有効スクリーンサイズ中から任意の大きさで切り取り範囲を指定して、切り取り範囲内の映像信号を読み出して解像度調整回路７に入力し、
　前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させ、
　サブフレームメモリ８から読み出し用のクロックパルスの速さを調整して、切り取った範囲の大きさが、固体撮像素子２の有効スクリーンサイズとなるように拡大して読み出」すものであって、固体撮像素子からのデータをメモリを用いて間引きを行っているものであり、固体撮像素子からのデータを間引くのに、固体撮像素子を間引き駆動することが周知技術であるから、引用発明に周知技術を適用して、「固体撮像素子を駆動する手段」を「少なくとも垂直方向において所与の間引き率で間引いて出力する」ことは、当業者にとって容易に想到し得たことである。
　　
　２　相違点２について
　　引用発明は、固体撮像素子からの画像信号をテレビ信号変換部に入力しテレビ等で再生する場合とズーム撮影して再生する場合とがあり、ズーム撮像する場合には切り取り範囲の指定信号を入力するものであるから、ズーム撮影する場合に指令信号を入力するようにすることは、当業者にとって容易である。
　また、引用文献２には、次の記載がある。
　「・・・ズーミング処理を行うと、ズーミング率により画像の解像度が変化した場合、画面が見にくくなるため、画素密度の高い固体撮像素子２を使用して、通常の撮影の場合は前記プロセス回路９あるいは、テレビ信号変換部１０で映像信号を間引き等を行って、標準方式のテレビ信号の走査線数に合うようにしており、ズーミング処理をする場合は前記解像度調整回路７で前記切り取り範囲の指定信号の大きさによって読み出された映像信号に対して画素密度を間引いて出力し、書き込み用のクロックパルスを使用してサブフレームメモリ８に書き込んで記憶させる。」（段落【０００８】）
　「固体撮像素子２に使用する画素密度は、ズーム率を最大とした場合、前記解像度調整回路７で行う画素密度の間引き率を０とし、その他のズーム率の場合はズーム率に応じて間引くことにより解像度が変化しないようにしている。・・・」（段落【０００９】）
　この記載によれば、ズーミング処理を行う際には、ズーミング率、ズーム率が考慮されることが示唆されているといえる。ズーミング率、ズーム率は、本願発明にいう「ズーム倍率」に相当する。
　そうすると、引用発明において、拡大する場合に切り取り範囲の指定信号を入力する代わりに「ズーム倍率」を入力することにより拡大させることは当業者にとって容易である。
　したがって、「電子ズームを指示する手段」を「電子ズーム指令及びズーム倍率を与える」「電子ズーム指令手段」とすることは、当業者が容易に想到し得たものである。
　　
　３　相違点３について
　　引用文献２には、「固体撮像素子２に使用する画素密度は、ズーム率を最大とした場合、前記解像度調整回路７で行う画素密度の間引き率を０とし、その他のズーム率の場合はズーム率に応じて間引くことにより解像度が変化しないようにしている。」（段落【０００９】）と記載されている。
　この記載は、ズーム率（本願発明にいう「ズーム倍率」）が大きくなることに応じて、間引きの割合を小さくすることを意味している。
　そうすると、引用発明に周知技術を適用する際に、ズーム倍率が大きくなることに応じて、間引きの割合を小さくするように、「固体撮像装置を駆動する手段」を制御するようにすることは、当業者が容易に想到し得たことである。
　　
　４　相違点４について
　　ディジタル・カメラは周知の技術であり、引用発明に周知技術を適用する際に、データをディジタル化して、ディジタル・データを扱うようにし、「ディジタル・カメラ」とすることは当業者にとって容易である。
　　
　５　効果等
　　以上のように、相違点１〜４に係る構成はいずれも当業者が容易に想到できたものである。そして、これらの相違点に係る構成を総合しても、本願発明が奏する効果は、当業者が容易に予測できたものである。
　したがって、本願発明は、引用文献２に記載された発明及び周知技術に基づいて当業者が容易に発明できたものである。
　　
第６　むすび
　以上のとおり、本願の請求項１に係る発明は、引用文献２に記載された発明及び周知技術に基づいて、当業者が容易に発明できたものであるから、特許法第２９条第２項の規定により特許を受けることができない。
　したがって、残る請求項２〜請求項４に係る発明について検討するまでもなく、本願は拒絶されるべきものである。
　　
　よって、結論のように審決する。